(57)【特許請求の範囲】
【請求項１】
ソース媒体から再生された対象情報を記録媒体に複製記録するに際し、前記記録媒体への前記対象情報の記録を制限する記録システムにおいて、
前記ソース媒体に対象情報と共に記録されているトラック数情報および再生時間情報を複製管理情報として記憶するメモリ手段と、
前記ソース媒体に対象情報と共に記録されているトラック数情報および再生時間情報を抽出し、同一のトラック数情報および再生時間情報が前記メモリ手段に格納されているか否かを調べ、前記同一のトラック数情報および再生時間情報が前記メモリ手段に格納されている場合には、前記ソース媒体の前記記録媒体への複製の記録を禁止し、前記同一のトラック数情報および再生時間情報が前記メモリ手段に格納されていない場合には、前記ソース媒体の前記記録媒体への複製の記録を許可する情報確認手段と、
前記情報確認手段により、前記ソース媒体の前記記録媒体への複製の記録が許可された場合にのみ、前記トラック数情報および再生時間情報を前記メモリ手段に格納させる情報記憶制御手段と、
前記情報確認手段により、前記ソース媒体の前記記録媒体への複製の記録が許可された場合にのみ、前記対象情報をそのトラック数情報および再生時間情報と共に前記記録媒体に記録する記録動作制御手段と、
前記トラック数情報および再生時間情報の前記メモリ手段への格納時間を計測し、その格納時間が所定時間に達した前記トラック数情報および再生時間情報を前記メモリ手段からクリアするタイマ処理手段と、
前記ソース媒体の再生開始後、前記記録媒体の記録開始後および前記タイマ処理手段の計測開始後の少なくともいずれかについて、予め設定した一定時間を経過する以前に、複製記録動作が解除された場合には、前記メモリ手段のトラック数情報および再生時間情報、並びに前記タイマ処理手段の計時をクリアする手段と、
を具備することを特徴とする記録システム。
【請求項２】
ソース媒体から再生された対象情報を記録媒体に複製記録するに際し、前記記録媒体への前記対象情報の記録を制限する記録システムにおいて、
前記ソース媒体に対象情報と共に記録されているトラック数情報および再生時間情報を複製管理情報として記憶するメモリ手段と、
前記ソース媒体に対象情報と共に記録されているトラック数情報および再生時間情報を抽出し、同一のトラック数情報および再生時間情報が前記メモリ手段に格納されているか否かを調べ、前記同一のトラック数情報および再生時間情報が前記メモリ手段に格納されている場合には、前記ソース媒体の前記記録媒体への複製の記録を禁止し、前記同一のトラック数情報および再生時間情報が前記メモリ手段に格納されていない場合には、前記ソース媒体の前記記録媒体への複製の記録を許可する情報確認手段と、
前記情報確認手段により、前記ソース媒体の前記記録媒体への複製の記録が許可された場合にのみ、前記トラック数情報および再生時間情報を前記メモリ手段に格納させる情報記憶制御手段と、
前記情報確認手段により、前記ソース媒体の前記記録媒体への複製の記録が許可された場合にのみ、前記対象情報をそのトラック数情報および再生時間情報と共に前記記録媒体に記録する記録動作制御手段と、
前記トラック数情報および再生時間情報の前記メモリ手段への格納時間を計測し、その格納時間が所定時間に達した前記トラック数情報および再生時間情報を前記メモリ手段からクリアするタイマ処理手段と、
前記ソース媒体の再生開始後、トラック切替えが行われる以前に、複製記録動作が解除された場合には、前記メモリ手段のトラック数情報および再生時間情報、並びに前記タイマ処理手段の計時をクリアする手段と、
を具備することを特徴とする記録システム。
【請求項３】
所定の記録状態情報と共に与えられる対象情報を記録媒体に書き込む記録手段と、
前記所定の記録状態情報を記憶するメモリと、
前記対象情報と共に与えられる所定の記録状態情報と同一の記録状態情報が前記メモリに格納されているか否かを調べ、前記同一の記録状態情報が前記メモリに格納されている場合には、前記対象情報の前記記録媒体への記録を禁止し、前記同一の記録状態情報が前記メモリに格納されていない場合には、前記対象情報の前記記録媒体への記録を許可する情報確認手段と、
前記情報確認手段により、前記対象情報の前記記録媒体への記録が許可された場合にのみ、前記記録状態情報を前記メモリに格納させる情報記憶制御手段と、
前記情報確認手段により、前記対象情報の前記記録媒体への記録が許可された場合にのみ、前記記録手段を介して前記対象情報をその所定の記録状態情報と共に前記記録媒体に記録させる記録動作制御手段と、
前記記録状態情報の前記メモリへの格納時間を計測し、その格納時間が所定時間に達した前記記録状態情報を前記メモリからクリアするタイマ処理手段と、
前記対象情報の再生開始後、トラック切替えが行われる以前に、複製記録動作が解除された場合には、前記メモリの記録状態情報、並びに前記タイマ処理手段の計時をクリアする手段と、
を具備することを特徴とする記録装置。
【請求項４】
ソース媒体から再生された対象情報を記録媒体に複製記録するに際し、前記記録媒体への前記対象情報の記録を制限する記録制御方法において、
前記ソース媒体に対象情報と共に記録されているトラック数情報および再生時間情報を抽出し、同一のトラック数情報および再生時間情報がメモリに格納されているか否かを調べ、前記同一のトラック数情報および再生時間情報が前記メモリに格納されている場合には、前記ソース媒体の前記記録媒体への複製の記録を禁止し、前記同一のトラック数情報および再生時間情報が前記メモリに格納されていない場合には、前記ソース媒体の前記記録媒体への複製の記録を許可する情報確認ステップと、
前記情報確認ステップにより、前記ソース媒体の前記記録媒体への複製の記録が許可された場合にのみ、前記トラック数情報および再生時間情報を前記メモリに格納させる情報記憶制御ステップと、
前記トラック数情報および再生時間情報の前記メモリへの格納時間を計測し、その格納時間が所定時間に達した前記トラック数情報および再生時間情報を前記メモリからクリアするタイマ処理ステップと、
前記情報確認ステップにより、前記ソース媒体の前記記録媒体への複製の記録が許可された場合にのみ、前記対象情報をそのトラック数情報および再生時間情報と共に前記記録媒体に記録させる記録動作制御ステップと、
前記ソース媒体の再生開始後、前記記録媒体の記録開始後および前記タイマ処理ステップの計測開始後の少なくともいずれかについて、予め設定した一定時間を経過する以前に、複製記録動作が解除された場合には、前記メモリのトラック数情報および再生時間情報、並びに前記タイマ処理ステップによる計時をクリアするステップと、
を有することを特徴とする記録制御方法。
【請求項５】
ソース媒体から再生された対象情報を記録媒体に複製記録するに際し、前記記録媒体への前記対象情報の記録を制限する記録制御方法において、
前記ソース媒体に対象情報と共に記録されているトラック数情報および再生時間情報を抽出し、同一のトラック数情報および再生時間情報がメモリに格納されているか否かを調べ、前記同一のトラック数情報および再生時間情報が前記メモリに格納されている場合には、前記ソース媒体の前記記録媒体への複製の記録を禁止し、前記同一のトラック数情報および再生時間情報が前記メモリに格納されていない場合には、前記ソース媒体の前記記録媒体への複製の記録を許可する情報確認ステップと、
前記情報確認ステップにより、前記ソース媒体の前記記録媒体への複製の記録が許可された場合にのみ、前記トラック数情報および再生時間情報を前記メモリに格納させる情報記憶制御ステップと、
前記トラック数情報および再生時間情報の前記メモリへの格納時間を計測し、その格納時間が所定時間に達した前記トラック数情報および再生時間情報を前記メモリからクリアするタイマ処理ステップと、
前記情報確認ステップにより、前記ソース媒体の前記記録媒体への複製の記録が許可された場合にのみ、前記対象情報をそのトラック数情報および再生時間情報と共に前記記録媒体に記録させる記録動作制御ステップと、
前記ソース媒体の再生開始後、トラック切替えが行われる以前に、複製記録動作が解除された場合には、前記メモリのトラック数情報および再生時間情報、並びに前記タイマ処理ステップによる計時をクリアするステップと、
を有することを特徴とする記録制御方法。
【請求項６】
コンピュータを、
所定の記録状態情報と共に与えられる対象情報を記録媒体に書き込む記録手段、
前記所定の記録状態情報を記憶するメモリ手段、
前記対象情報と共に与えられる所定の記録状態情報と同一の記録状態情報が前記メモリ手段に格納されているか否かを調べ、前記同一の記録状態情報が前記メモリ手段に格納されている場合には、前記対象情報の前記記録媒体への記録を禁止し、前記同一の記録状態情報が前記メモリ手段に格納されていない場合には、前記対象情報の前記記録媒体への記録を許可する情報確認手段、
前記情報確認手段により、前記対象情報の前記記録媒体への記録が許可された場合にのみ、前記記録状態情報を前記メモリ手段に格納させる情報記憶制御手段、
前記情報確認手段により、前記対象情報の前記記録媒体への記録が許可された場合にのみ、前記記録手段を介して前記対象情報をその所定の記録状態情報と共に前記記録媒体に記録させる記録動作制御手段、
前記記録状態情報の前記メモリ手段への格納時間を計測し、その格納時間が所定時間に達した前記記録状態情報を前記メモリ手段からクリアするタイマ処理手段、および、
前記対象情報の再生開始後、トラック切替えが行われる以前に、複製記録動作が解除された場合には、前記メモリ手段の記録状態情報、並びに前記タイマ処理手段の計時をクリアする手段、
として機能させるためのプログラムを記録したことを特徴とするコンピュータ読み取り可能な記録媒体。
【発明の詳細な説明】
【０００１】
【発明の属する技術分野】
この発明は、オーディオ信号等の情報を記録媒体に記録し得る記録装置に係り、特に、記録媒体から再生された再生情報を他の記録媒体に記録するに際し、通常の再生速度よりも高速で再生・記録する高速複製記録における著作権等の保護等のための適正な複製管理を行い得る記録システム、記録装置、記録制御方法およびコンピュータ読み取り可能な記録媒体に関する。
【０００２】
【従来の技術】
例えばＣＤ（コンパクトディスク）（ＣＤ−ＤＡ：CD digital audio）およびＤＶＤ（ディジタルバーサタイルディスク）（DVD Audio、DVD Video）等から再生されるビデオまたはオーディオ情報等のディジタル信号を、記録媒体に記録する場合、アナログ信号として記録するアナログ記録およびＣＤおよびＤＶＤと同様のディジタル信号により記録するディジタル記録が可能である。旧来の記録装置は、磁気テープ等を記録媒体としてアナログ記録を行うのが一般的であった。近年、ディジタル技術の発展にともない、ディジタル記録媒体へのディジタル記録を可能とする記録装置が普及している。ディジタル記録媒体としては、ＭＤ（ミニディスク〜商標）、ＣＤ−Ｒ（ＣＤレコーダブル）、ＣＤ−ＲＷ（ＣＤリライタブル）、ＤＶＤ−ＲＡＭ（ＤＶＤランダムアクセスメモリ）、ＤＶＤ−Ｒ、ＤＶＤ−Ｒ／Ｗ、ＤＶＤ＋ＲＷ、ＤＡＴ（ディジタルオーディオテープ）、固体メモリ（フラッシュメモリ等）等が用いられている。
【０００３】
旧来のアナログ記録においては、アナログ信号の再生／記録に伴う情報の劣化および情報量の低下等が避けられない。また、ディジタル記録においても再生情報よりもサンプリングレートおよび量子化ビット数が少ない場合には、一旦アナログ化して再サンプリングするなど、記録するための処理に伴う情報の劣化および情報量の低下等が避けられない。ところが、再生情報と同一またはそれ以上の十分なサンプリングレートおよび量子化ビット数でディジタル記録を行った場合には、原記録媒体に対する情報の劣化および情報量の低下をほとんど生じさせずに、原記録媒体を複製することができる。
【０００４】
このような、ディジタル記録媒体にディジタル記録することが可能な記録装置においては、利用者による私的利用目的の複製が行われる。このような、記録装置、例えばＭＤを記録媒体とする記録装置等においては、複製作業を簡便化する機能の充実が顕著である。しかしながら、ＭＤ等のディジタル記録可能な記録装置における複製機能の充実は、私的利用を超えた複製をも容易にし、原記録媒体等の著作者の持つ著作権、例えば複製権、を侵害する危険をはらんでいる。これに対して、ディジタル記録可能な記録装置では、ＳＣＭＳ（Serial Copy Management System）等の技術を採用し、ディジタル音源からの無制限な複製を防止することが行われている。すなわち、ＳＣＭＳにおいては、例えば、著作権を保護すべき音楽データをＭＤに記録する場合、ＣＤ等のオリジナル記録媒体からＭＤへの一世代目のコピーは可能だが、このようにして記録した一世代目のＭＤの記録データを他のＭＤに「孫コピー」することはできない。このように、ＳＣＭＳでは、複製世代数を制限することにより、私的使用の範囲を超える複製に歯止めをかけている。
【０００５】
なお、このような、ディジタルオーディオ情報における著作権保護については、最近では、ＳＤＭＩ（Secure Digital Music Initiative）により、ディジタルオーディオデータを圧縮記録する技術にも対応する技術を標準化すべく検討が進められている。また、ＭＰＥＧ（moving picture experts group）により仕様策定中の動画・音声の圧縮方式を定める規格ＭＰＥＧ４においては、ＩＰＭＰ（Intellectual Property Management and Protection）と称される知的財産権保護システムとのインタフェースを含むとされている。
【０００６】
また、上述したＭＤ等の記録装置には、利用者の利便のため通常再生よりも短時間での複製を可能とする高速ダビングのための複製の高速記録機能を搭載することが少なくない。すなわち、高速ダビングにおいては、原記録媒体を通常再生速度よりも高速で再生し且つ複製記録媒体に高速で複製を記録する。このため、単に上述したＳＣＭＳにより一世代のみの複製記録を許可するだけでは、記録装置が高速ダビング機能を搭載していれば、許可した一世代の複製を短期間に何度も行うことにより、特定の個人が私的利用の枠を越えて大量に複製を作成することが可能となる。このため、ＳＣＭＳを採用していても、高速記録機能を備えていれば、容易に著作権を侵害するおそれがある。
【０００７】
一方、特開平１１−５３８１８号公報には、例えばＣＤからＭＤにオーディオ情報をコピーする場合、複製履歴の有無、複製回数、複製操作の履歴順位、複製操作の時間間隔、および記録媒体の交換の有無などの操作履歴に応じて複製の禁止、複製速度の制御を行うことができ、運用上認める所定条件をきめ細かく設定することができる記録装置が開示されている。この特開平１１−５３８１８号公報の記録装置では、私的利用の範囲での録音やり直し、編集やり直しなど利用者の利便性を柔軟に確保しつつ、一世代の複製数も確実に制限することができ、著作権侵害となる多量の複製行為の抑制を可能としている。
【０００８】
【発明が解決しようとする課題】
上述した特開平１１−５３８１８号公報に開示された記録装置では、オーディオ情報をコピーする場合、所定の付加情報をオーディオ情報に付加し、複製操作にともなってその付加情報を不揮発性ＲＡＭ（ＮＶＲＡＭ：non-volatile RAM）等のメモリに格納する。そして、複製操作に際し、メモリにおける付加情報の格納状況を参照することにより、複製履歴の有無、複製回数、複製操作の履歴順位、複製操作の時間間隔、および記録媒体の交換の有無などの操作履歴を判別し、それに応じて複製の禁止または複製速度の制御を行うようにしている。上述した付加情報は、操作履歴を管理するために利用し得る情報であればどのような情報でもよく、結果として著作権保護等のための複製管理情報としても用いられている。
【０００９】
このように、著作権保護等のための複製管理情報は、複製記録操作にともなってメモリの所定領域に格納され、複製操作時に、複製操作履歴等を管理するために、記録装置の動作を制御するＣＰＵ（中央処理装置）によりアクセスされる。ＣＰＵは、例えばマイクロプロセッサ等を用いて構成され、複製管理情報を格納する記憶領域を有するメモリは、そのＣＰＵの内部または外部に配設される。
【００１０】
ここでは、著作権の保護のための処理の内容として、「通常再生速度における再生時間内で同一ディスクの複製を２つ以上作成することを禁止する」という前提条件が、無節操な複製を防止するために最低限必要になると考えている。
【００１１】
例えば、ＭＤの規格においては、当初、著作権保護に適当な方法がないことにも起因して、録音時の転送レートが規定されていたために、ＣＤからＭＤへディジタルベースでの高速ダビングにより複製を作成することはできなかった。その後、ＭＤの規格が改正されて、録音時の転送レートの規定が廃止された。しかしながら、依然として、著作権の保護の問題は残っていた。ＣＤ等におけるいわゆるディジタルコピーにおける著作権保護には、先に述べた付加情報として、ＩＳＲＣコード（Ｑコード：ＡＤＲ＝３のデータ列）（ＪＩＳ  Ｓ８６０５）を用いることが適当であるとされているが、市場に流通しているＣＤ等においては、このデータが記録されているものは非常に少ない。したがって、このＩＳＲＣコードでは、多くのディジタルソースに対して、適切な著作権保護を行うことができない。
【００１２】
この発明は、上述した事情に鑑みてなされたもので、事実上全ての対象情報に適用可能で、通常再生速度より高速の複製記録を適切に抑制することができ、著作権保護のための複製操作の履歴管理を適正に且つ確実に行うことを可能とする記録システム、記録装置、記録制御方法および記録媒体を提供することを目的とする。
【００１３】
【課題を解決するための手段】
上記目的を達成するため、この発明の第１の観点による記録システムは、
ソース媒体から再生された対象情報を記録媒体に複製記録するに際し、前記記録媒体への前記対象情報の記録を制限する記録システムにおいて、
前記ソース媒体に対象情報と共に記録されているトラック数情報および再生時間情報を複製管理情報として記憶するメモリ手段と、
前記ソース媒体に対象情報と共に記録されているトラック数情報および再生時間情報を抽出し、同一のトラック数情報および再生時間情報が前記メモリ手段に格納されているか否かを調べ、前記同一のトラック数情報および再生時間情報が前記メモリ手段に格納されている場合には、前記ソース媒体の前記記録媒体への複製の記録を禁止し、前記同一のトラック数情報および再生時間情報が前記メモリ手段に格納されていない場合には、前記ソース媒体の前記記録媒体への複製の記録を許可する情報確認手段と、
前記情報確認手段により、前記ソース媒体の前記記録媒体への複製の記録が許可された場合にのみ、前記トラック数情報および再生時間情報を前記メモリ手段に格納させる情報記憶制御手段と、
前記情報確認手段により、前記ソース媒体の前記記録媒体への複製の記録が許可された場合にのみ、前記対象情報をそのトラック数情報および再生時間情報と共に前記記録媒体に記録する記録動作制御手段と、
前記トラック数情報および再生時間情報の前記メモリ手段への格納時間を計測し、その格納時間が所定時間に達した前記トラック数情報および再生時間情報を前記メモリ手段からクリアするタイマ処理手段と、
前記ソース媒体の再生開始後、前記記録媒体の記録開始後および前記タイマ処理手段の計測開始後の少なくともいずれかについて、予め設定した一定時間を経過する以前に、複製記録動作が解除された場合には、前記メモリ手段のトラック数情報および再生時間情報、並びに前記タイマ処理手段の計時をクリアする手段と、
を具備する。
【００１４】
また、この発明の第２の観点による記録システムは、
ソース媒体から再生された対象情報を記録媒体に複製記録するに際し、前記記録媒体への前記対象情報の記録を制限する記録システムにおいて、
前記ソース媒体に対象情報と共に記録されているトラック数情報および再生時間情報を複製管理情報として記憶するメモリ手段と、
前記ソース媒体に対象情報と共に記録されているトラック数情報および再生時間情報を抽出し、同一のトラック数情報および再生時間情報が前記メモリ手段に格納されているか否かを調べ、前記同一のトラック数情報および再生時間情報が前記メモリ手段に格納されている場合には、前記ソース媒体の前記記録媒体への複製の記録を禁止し、前記同一のトラック数情報および再生時間情報が前記メモリ手段に格納されていない場合には、前記ソース媒体の前記記録媒体への複製の記録を許可する情報確認手段と、
前記情報確認手段により、前記ソース媒体の前記記録媒体への複製の記録が許可された場合にのみ、前記トラック数情報および再生時間情報を前記メモリ手段に格納させる情報記憶制御手段と、
前記情報確認手段により、前記ソース媒体の前記記録媒体への複製の記録が許可された場合にのみ、前記対象情報をそのトラック数情報および再生時間情報と共に前記記録媒体に記録する記録動作制御手段と、
前記トラック数情報および再生時間情報の前記メモリ手段への格納時間を計測し、その格納時間が所定時間に達した前記トラック数情報および再生時間情報を前記メモリ手段からクリアするタイマ処理手段と、
前記ソース媒体の再生開始後、トラック切替えが行われる以前に、複製記録動作が解除された場合には、前記メモリ手段のトラック数情報および再生時間情報、並びに前記タイマ処理手段の計時をクリアする手段と、
を具備する。
【００２０】
また、この発明の第３の観点による記録装置は、
所定の記録状態情報と共に与えられる対象情報を記録媒体に書き込む記録手段と、
前記所定の記録状態情報を記憶するメモリと、
前記対象情報と共に与えられる所定の記録状態情報と同一の記録状態情報が前記メモリに格納されているか否かを調べ、前記同一の記録状態情報が前記メモリに格納されている場合には、前記対象情報の前記記録媒体への記録を禁止し、前記同一の記録状態情報が前記メモリに格納されていない場合には、前記対象情報の前記記録媒体への記録を許可する情報確認手段と、
前記情報確認手段により、前記対象情報の前記記録媒体への記録が許可された場合にのみ、前記記録状態情報を前記メモリに格納させる情報記憶制御手段と、
前記情報確認手段により、前記対象情報の前記記録媒体への記録が許可された場合にのみ、前記記録手段を介して前記対象情報をその所定の記録状態情報と共に前記記録媒体に記録させる記録動作制御手段と、
前記記録状態情報の前記メモリへの格納時間を計測し、その格納時間が所定時間に達した前記記録状態情報を前記メモリからクリアするタイマ処理手段と、
前記対象情報の再生開始後、トラック切替えが行われる以前に、複製記録動作が解除された場合には、前記メモリの記録状態情報、並びに前記タイマ処理手段の計時をクリアする手段と、
を具備する。
【００２３】
この発明の第４の観点による記録制御方法は、
ソース媒体から再生された対象情報を記録媒体に複製記録するに際し、前記記録媒体への前記対象情報の記録を制限する記録制御方法において、
前記ソース媒体に対象情報と共に記録されているトラック数情報および再生時間情報を抽出し、同一のトラック数情報および再生時間情報がメモリに格納されているか否かを調べ、前記同一のトラック数情報および再生時間情報が前記メモリに格納されている場合には、前記ソース媒体の前記記録媒体への複製の記録を禁止し、前記同一のトラック数情報および再生時間情報が前記メモリに格納されていない場合には、前記ソース媒体の前記記録媒体への複製の記録を許可する情報確認ステップと、
前記情報確認ステップにより、前記ソース媒体の前記記録媒体への複製の記録が許可された場合にのみ、前記トラック数情報および再生時間情報を前記メモリに格納させる情報記憶制御ステップと、
前記トラック数情報および再生時間情報の前記メモリへの格納時間を計測し、その格納時間が所定時間に達した前記トラック数情報および再生時間情報を前記メモリからクリアするタイマ処理ステップと、
前記情報確認ステップにより、前記ソース媒体の前記記録媒体への複製の記録が許可された場合にのみ、前記対象情報をそのトラック数情報および再生時間情報と共に前記記録媒体に記録させる記録動作制御ステップと、
前記ソース媒体の再生開始後、前記記録媒体の記録開始後および前記タイマ処理ステップの計測開始後の少なくともいずれかについて、予め設定した一定時間を経過する以前に、複製記録動作が解除された場合には、前記メモリのトラック数情報および再生時間情報、並びに前記タイマ処理ステップによる計時をクリアするステップと、
を有する。
【００２４】
この発明の第５の観点による記録制御方法は、
ソース媒体から再生された対象情報を記録媒体に複製記録するに際し、前記記録媒体への前記対象情報の記録を制限する記録制御方法において、
前記ソース媒体に対象情報と共に記録されているトラック数情報および再生時間情報を抽出し、同一のトラック数情報および再生時間情報がメモリに格納されているか否かを調べ、前記同一のトラック数情報および再生時間情報が前記メモリに格納されている場合には、前記ソース媒体の前記記録媒体への複製の記録を禁止し、前記同一のトラック数情報および再生時間情報が前記メモリに格納されていない場合には、前記ソース媒体の前記記録媒体への複製の記録を許可する情報確認ステップと、
前記情報確認ステップにより、前記ソース媒体の前記記録媒体への複製の記録が許可された場合にのみ、前記トラック数情報および再生時間情報を前記メモリに格納させる情報記憶制御ステップと、
前記トラック数情報および再生時間情報の前記メモリへの格納時間を計測し、その格納時間が所定時間に達した前記トラック数情報および再生時間情報を前記メモリからクリアするタイマ処理ステップと、
前記情報確認ステップにより、前記ソース媒体の前記記録媒体への複製の記録が許可された場合にのみ、前記対象情報をそのトラック数情報および再生時間情報と共に前記記録媒体に記録させる記録動作制御ステップと、
前記ソース媒体の再生開始後、トラック切替えが行われる以前に、複製記録動作が解除された場合には、前記メモリのトラック数情報および再生時間情報、並びに前記タイマ処理ステップによる計時をクリアするステップと、
を有する。
【００３０】
この発明の第６の観点によるコンピュータ読み取り可能な記録媒体は、
コンピュータを、
所定の記録状態情報と共に与えられる対象情報を記録媒体に書き込む記録手段、
前記所定の記録状態情報を記憶するメモリ手段、
前記対象情報と共に与えられる所定の記録状態情報と同一の記録状態情報が前記メモリ手段に格納されているか否かを調べ、前記同一の記録状態情報が前記メモリ手段に格納されている場合には、前記対象情報の前記記録媒体への記録を禁止し、前記同一の記録状態情報が前記メモリ手段に格納されていない場合には、前記対象情報の前記記録媒体への記録を許可する情報確認手段、
前記情報確認手段により、前記対象情報の前記記録媒体への記録が許可された場合にのみ、前記記録状態情報を前記メモリ手段に格納させる情報記憶制御手段、
前記情報確認手段により、前記対象情報の前記記録媒体への記録が許可された場合にのみ、前記記録手段を介して前記対象情報をその所定の記録状態情報と共に前記記録媒体に記録させる記録動作制御手段、
前記記録状態情報の前記メモリ手段への格納時間を計測し、その格納時間が所定時間に達した前記記録状態情報を前記メモリ手段からクリアするタイマ処理手段、および、
前記対象情報の再生開始後、トラック切替えが行われる以前に、複製記録動作が解除された場合には、前記メモリ手段の記録状態情報、並びに前記タイマ処理手段の計時をクリアする手段、
として機能させるためのプログラムを記録している。
【００３６】
【発明の実施の形態】
以下、この発明の実施の形態を図面を参照して説明する。図１は、この発明の第１の実施の形態に係る記録システムを採用したＣＤ／ＭＤシステムの構成を示しており、図２はその要部の機能構成を示している。
【００３７】
図１に示すＣＤ／ＭＤシステムは、この発明に係る記録システムを用いてＣＤの情報をＭＤにダビングする機能を有し、ＣＤ駆動部１、読み出し部２、ＣＰＵ（中央処理部）３、メモリ４、書込み部５、ＭＤ駆動部６、表示部７および操作部８を備えている。図１におけるブロック間を結ぶ矢印のうち、実線はデータまたは制御情報を含むデータの信号線を示し、破線は制御情報のみの信号線を示している。
【００３８】
ＣＤ駆動部１は、ＣＤをセットして駆動し、再生に供する。読み出し部２は、ＣＤ駆動部１にＣＤの記録面に対峙して設けた光学ヘッド２ａを介して、ＣＤから記録情報を読み出す。
ＣＰＵ３は、例えばマイクロプロセッサ等を用いて構成され、操作部８の操作に応答して各種機能を達成する。ＣＰＵ３は、ＣＤからＭＤへの高速ダビング、すなわち複製の高速記録、が指示されたときは、読み出し部２を介してＣＤの記録情報のうちの目次情報、いわゆるＴＯＣ（table of contents）情報、を読み出し、読み出した情報から複製管理情報として用いる著作権情報、として、最小／最大トラック数を示すトラックナンバ情報およびＣＤのディスクトータル時間（分、秒、フレーム）を示す時間情報、すなわち“ＭＡＸ  ＴＮＯ”および“ＭＡＸ  ＴＩＭＥ（MIN, SEC, FRAME）”をそれぞれ抽出する。
【００３９】
ＣＰＵ３は、上述したように、複製の高速記録が指示された際に、メモリ４に同一の著作権情報が（未だに又は既に）記憶されていない場合にのみ、著作権の許容する範囲内として複製の高速記録を行うことができる。複製の記録が行われる際に、上述した複製管理情報としてのトラックナンバ情報および時間情報がメモリ４に格納される。この複製管理情報は、所定時間、例えばＣＤ等の許容最大記録時間である７４分、を経過するとクリアされる。一旦、複製管理情報が記憶されると同一の複製管理情報を有する再生情報については、高速記録を行うと、短時間に多くの複製が作られ、著作権が侵害されるおそれがあるとして、高速記録を禁止する。なお、複製管理情報には、必要に応じて複製の許可／禁止を直接示す情報を含ませる。
【００４０】
ＣＰＵ３は、上述のように、ＣＤから読み出した複製管理情報を解読し、さらにメモリ４の複製管理情報の格納領域を参照して、既に記憶されている複製管理情報と一致しない場合にのみ、複製管理情報をメモリ４に格納し、高速記録動作を許可して、書込み部５に通常再生速度よりも高速な高速記録動作を指示する。なお、ＣＤから読み出した情報から抽出した複製管理情報が複製禁止とすべきことを示している場合、複製管理情報を解読することができない場合、および既に記憶されている複製管理情報と一致する場合には、ＣＰＵ３は、著作権を保護することができないため、高速記録動作を禁止する。
【００４１】
メモリ４は、例えば、ＣＰＵ３を構成する制御用のマイクロプロセッサに内蔵されたＲＡＭ等からなり、複製管理情報を格納する格納領域を有する。書込み部５は、高速記録動作時等の記録動作時には、ＣＰＵ３の制御により、読み出し部２で読み出されたオーディオ情報等の情報を、ＭＤ駆動部６にセットされたＭＤの記録面に対峙する光学ヘッド５ａを介して、そのＭＤに書き込む。ＭＤ駆動部６は、ＭＤをセットして駆動し、そのＭＤに光学ヘッド５ａを介して書込み部５による記録を行わせる。
【００４２】
表示部７は、ＣＰＵ３により制御されて、警報部による警報表示、音声合成等を用いた音声表示部による音声表示、文字表示部による文字表示、および画像表示部による図形表示等のうちの少なくともいずれかによる表示を行う機能を有し、このＣＤ／ＭＤシステムにおける種々の動作状態等を表示する。操作部８は、ユーザにより操作され、その操作に基づいて、このＣＤ／ＭＤシステムの高速記録等の動作等を指示するための情報をＣＰＵ３に与える。
【００４３】
ＣＰＵ３は、図２に示すように、読み出し情報処理部３１、トラックナンバ／時間情報確認部３２、トラックナンバ／時間情報制御部３３、メモリアクセス制御部３４、タイマ処理部３５、および記録動作制御部３６としての機能を有している。これら各部は、かならずしもハードウェアにより構成する必要はなく、ソフトウェアによる処理機能として実現することもできる。
【００４４】
読み出し情報処理部３１は、読み出し部２によりＣＤから読み出した情報を処理し、複製管理情報として、ＣＤのトラックナンバ情報および時間情報を含むＴＯＣ情報を抽出する。
【００４５】
トラックナンバ／時間情報確認部３２は、抽出された複製管理情報と一致する複製管理情報が、メモリ４の複製管理情報の格納領域に既に格納されているか否かを、メモリアクセス制御部３４を介して確認する。このとき、トラックナンバ／時間情報確認部３２は、ＴＯＣ情報中の複製禁止フラグを調べ、複製可能（複製禁止となっていない）であるか否かを確認するようにしてもよい。
【００４６】
トラックナンバ／時間情報制御部３３は、トラックナンバ／時間情報確認部３２により確認された複製管理情報と一致する複製管理情報が、メモリ４の複製管理情報の格納領域に未だに格納されていないと、トラックナンバ／時間情報確認部３２において判定された場合に、メモリアクセス制御部３４を介してその複製管理情報を、以後の複製禁止を示す禁止フラグを含めて、メモリ４の複製管理情報の格納領域に記憶させる。そして、トラックナンバ／時間情報制御部３３は、記録動作制御部３６を介して書込み部５を制御して、読み出し部２によってＣＤから読み出された情報を高速記録動作によりＭＤに書き込ませる。タイマ処理部３５は、高速記録動作の開始以後の経過時間を計時し、その経過時間が上述した所定時間（例えば７４分）に達すると、該当する複製管理情報をメモリ４からクリアする。記録動作制御部３６は、トラックナンバ／時間情報制御部３３により指示された場合にのみ、ＣＤから読み出された情報を書込み部５により高速記録させ、それ以外の場合には高速記録を行わせない。
【００４７】
メモリアクセス制御部３４は、トラックナンバ／時間情報確認部３２、トラックナンバ／時間情報制御部３３およびタイマ処理部３５によるメモリ４の複製管理情報の格納領域のアクセスを制御する。
【００４８】
次に、図１および図２のＣＤ／ＭＤシステムの動作における複製管理情報を用いた高速ダビング禁止処理の流れについて図３に示すフローチャートを参照して説明する。
【００４９】
操作部８の操作により、例えばＣＤからＭＤへの高速ダビングのための高速記録動作が指示されると、図３に示すような高速ダビング禁止処理が開始される。高速ダビング禁止処理が開始されると、ＣＰＵ３は、トラックナンバ／時間情報確認部３２において、ＣＤから読み出し情報処理部３１にてＴＯＣ情報を読み出して（ステップＳ１１）、トラックナンバ／時間情報を抽出する。そして、トラックナンバ／時間情報確認部３２は、抽出されたトラックナンバ／時間情報が、メモリ４の複製管理情報の格納領域に既に格納されているトラックナンバ／時間情報のいずれかと一致するか否かをメモリアクセス制御部３４を介して判別する（ステップＳ１２）。
【００５０】
ステップＳ１２において、メモリ４の複製管理情報の格納領域に既に格納されているトラックナンバ／時間情報のいずれとも不一致であると判定された場合には、読み出し情報処理部３１および記録動作制御部３６を介してＣＤを高速再生待機状態とし、ＭＤを高速記録待機状態として（ステップＳ１３）、操作部８により、ストップ操作されたか否かを判別する（ステップＳ１４）。ストップ操作されていなければ、トラックナンバ／時間情報制御部３３により、そのトラックナンバ／時間情報を、メモリ４の格納領域に格納し（ステップＳ１５）、タイマ処理部３５により、タイマウエイト時間を、所定時間、例えば７４分、にセットして、メモアクセス制御部３４を介してメモリ４にトラックナンバ／時間情報に対応させて格納する（ステップＳ１６）。そして、タイマ処理部３５は、記録動作制御部３６により高速記録動作を開始させ（ステップＳ１７）、さらにタイマ処理部３５により、メモリ４に格納されたタイマウエイト時間の減算カウントを開始させて（ステップＳ１８）、処理を終了して定常状態に戻る。
【００５１】
ステップＳ１２において、一致するトラックナンバ／時間情報が格納領域に既に格納されている場合には、何もせずに処理を終了して定常状態に戻る。ステップＳ１４において、ストップ操作がされたときは、やはり何もせずに処理を終了して定常状態に戻る。
【００５２】
なお、タイマ処理部３５によるタイマカウントおよび格納領域の情報の処理は、図４に示すタイマカウント処理に従って行われる。この場合、ＣＤの各ディスクｋ（ｋ＝１〜ｎの自然数）について個々にタイマが設定され、１秒毎にタイマカウント処理が起動され、各タイマが減算カウントされる。
【００５３】
１秒毎にタイマカウント処理が開始されると、まず、ディスクを示す変数となるディスクカウンタｋを１としてから（ステップＳ２１）、ディスク（ｋ）のタイマの値が“０”であるか否かを調べる（ステップＳ２２）。タイマの値が“０”でなければ、タイマの値を“１”デクリメントつまり「−１」して（ステップＳ２３）、タイマの値が“０”となったか否かを調べる（ステップＳ２４）。タイマが“０”でなければ、ディスクカウンタｋを“１”インクリメント、つまり「＋１」して（ステップＳ２５）、ディスクカウンタｋが格納されている全ディスク数ｎを超えたか否かを調べ（ステップＳ２６）、ｎを超えていれば、処理を終了して、定常状態に戻る。
【００５４】
ステップＳ２６において、ディスクカウンタｋがｎを超えていなければ、ステップＳ２２に戻る。
【００５５】
ステップＳ２４において、タイマの値が“０”となっていれば、ディスク（ｋ）に対応する格納情報、つまりトラックナンバ／時間情報およびタイマカウンタ、をクリアして（ステップＳ２７）、空いた領域にそれ以後のディスク（ｎ＋１）〜ディスク（ｎ）に対応する格納情報、つまりトラックナンバ／時間情報およびタイマカウンタをシフトして詰め（ステップＳ２８）、ステップＳ２２に戻る。
【００５６】
次に、メモリ４におけるトラックナンバ／時間情報およびタイマカウンタの格納領域のマッピングについて説明する。図５は、メモリ４のおけるトラックナンバ／時間情報およびタイマカウンタの格納領域を模式的に示している。メモリ４はｎ個のエリアを有し、各エリアにディスク（ｋ）のトラックナンバ情報、時間情報およびタイマカウンタを記憶する。
【００５７】
高速記録開始時に図５のディスク（ｋ）のトラックナンバ情報および時間情報の領域に、再生ディスクと同一の情報が書かれていたら、そのディスクの高速録音を禁止する。同一の情報が書かれていなければ高速記録を開始し、且つ空いているディスク（ｋ）のトラックナンバ情報および時間情報の領域に再生ディスクの情報を書き込み、さらにそのタイマカウンタ領域に所定時間（例えば、７４分の固定時間）をセットする。
【００５８】
ここで、タイマカウンタは、図４に示したように、時間がセットされていれば、常時減算カウントをし続ける。各タイマカウンタが個々にタイムアップした時、上述のように、設定時間から減算される場合はカウント値が“０”なった時、に対応するディスク（ｋ）のトラックナンバ情報および時間情報領域も同時にクリアし、各領域の記憶内容を図５において左シフトする。このようにして、タイムアップしたディスクについては、高速記録の禁止が解除される。
【００５９】
上述したように、ＣＤの著作権保護に、ＣＤのＴＯＣ情報に含まれる“ＭＡＸＴＮＯ”、“ＭＡＸ  ＴＩＭＥ（ＭＩＮ、ＳＥＣ、ＦＲＡＭＥ）”を使用することとし、ＣＤのＴＯＣ情報を読み込んだ際、その情報の中から最小／最大トラック数情報およびトータル時間情報（分、秒、フレーム）を再生ＣＤの情報として、一時的に記憶する。そして、高速記録が指示されたら、再生ＣＤのトラックナンバ／時間情報を、メモリ４の該当する格納領域におけるトラックナンバ／時間情報と比較し、既にメモリ４内に同一のトラックナンバ／時間情報が記憶されていたら、既に高速記録中のＣＤと判断し、高速記録を開始させない（例えば、書込み部５を記録一時停止状態にしたり、記録自体を停止させる）。
【００６０】
メモリ４に同一のトラックナンバ／時間情報が記録されていなければ高速記録を許可し、メモリ４内に新たにトラックナンバ／時間情報を格納するとともに、そのディスクにおける高速記録禁止用の７４分のタイマを起動させる。
このタイマは、起動されてから一定時間毎に減算カウントし続け、タイマがタイムアップしたらメモリ４内の該当するディスク情報をクリアする。
【００６１】
このように、ＩＳＲＣコード等を用いることなく、著作権保護の観点から一度高速ダビングを行ったＣＤについて、その高速ダビングを開始した時点から７４分間における再度の高速ダビングを阻止することができ、これを条件としたＣＤからＭＤへのＣＤ全曲等の高速ダビングが可能となる。また、ＩＳＲＣコードを用いる場合よりも正確に、高速記録を禁止すべきＣＤを判断することができるようになる。
【００６２】
図６は、この発明の第２の実施の形態に係る記録システムを採用したＣＤ／ＭＤシステムの要部の機能構成を示している。ここで、高速記録が禁止される場合、高速記録指示後、無条件にすなわち速やかに禁止状態とせずに、１曲目の再生を開始した時点で、再高速ダビングを禁止するようにしている。図１に示す構成との相違は、ＣＰＵ３に代えて、タイマカウントの開始を１曲目の再生開始時に行うようにしたＣＰＵ３Ａを用いている点である。すなわち、図６に示すＣＰＵ３Ａは、図２のＣＰＵ３におけるタイマ処理部３５に代えて、タイマ処理部３５Ａを設けている。
【００６３】
ＣＰＵ３Ａは、マイクロプロセッサ等を用いて構成され、操作部８の操作に応答して各種機能を達成する。ＣＰＵ３Ａは、ＣＤからＭＤへの高速ダビングすなわち複製の高速記録が指示されたときは、読み出し部２を介してＣＤの記録情報のうちのＴＯＣ情報を読み出して、読み出した情報から複製管理情報として、最小／最大トラック数を示すトラックナンバ情報およびＣＤのディスクトータル時間（分、秒、フレーム）を示す時間情報をそれぞれ抽出し、複製の高速記録が指示された際に、メモリ４に未だに同一の著作権情報が記憶されていない場合にのみ、著作権の許容する範囲内として複製の高速記録を行う。複製の記録が行われる際に、上述したトラックナンバ情報および時間情報がメモリ４に格納される。この複製管理情報は、所定時間、例えば７４分、を経過するとクリアされる。
【００６４】
ＣＰＵ３Ａは、メモリ４の複製管理情報の格納領域を参照して、既に記憶されている複製管理情報と一致しない場合にのみ、複製管理情報をメモリ４に格納し、高速記録動作を許可して、書込み部５に通常再生速度よりも高速な高速記録動作を指示する。なお、ＣＤから読み出した情報から抽出した複製管理情報が複製禁止とすべきことを示している場合、複製管理情報を解読することができない場合、および既に記憶されている複製管理情報と一致する場合には、ＣＰＵ３Ａは、著作権を保護することができないため、高速記録動作を禁止する。
【００６５】
メモリ４は、ＣＰＵ３Ａを構成する制御用のマイクロプロセッサに内蔵されたＲＡＭ等からなり、複製管理情報を格納する格納領域を有する。書込み部５は、高速記録動作時等の記録動作時には、ＣＰＵ３Ａの制御により、読み出し部２で読み出されたオーディオ情報等の情報を、ＭＤ駆動部６にセットされたＭＤの記録面に対峙する光学ヘッド５ａを介して、そのＭＤに書き込む。ＭＤ駆動部６は、ＭＤをセットして駆動し、そのＭＤに光学ヘッド５ａを介して書込み部５による記録を行わせる。
【００６６】
表示部７は、ＣＰＵ３Ａにより制御されて、警報部による警報表示、音声合成等を用いた音声表示部による音声表示、文字表示部による文字表示、および画像表示部による図形表示等のうちの少なくともいずれかによる表示を行う機能を有し、このＣＤ／ＭＤシステムにおける種々の動作状態等を表示する。操作部８は、ユーザにより操作され、その操作に基づいて、このＣＤ／ＭＤシステムの高速記録等の動作等を指示するための情報をＣＰＵ３Ａに与える。
【００６７】
ＣＰＵ３Ａのタイマ処理部３５Ａは、高速記録動作における１曲目の再生開始以後の経過時間を計時し、その経過時間が上述した所定時間（例えば７４分）に達すると、該当する複製管理情報およびタイマカウンタをメモリ４からクリアする。
【００６８】
次に、図６のＣＤ／ＭＤシステムの動作における複製管理情報を用いた高速ダビング禁止処理の流れについて図７に示すフローチャートを参照して説明する。操作部８の操作により、例えばＣＤからＭＤへの高速ダビングのための高速記録動作が指示されると、図７に示すような高速ダビング禁止処理が開始される。高速ダビング禁止処理が開始されると、ＣＰＵ３Ａは、トラックナンバ／時間情報確認部３２において、ＣＤから読み出し情報処理部３１にてＴＯＣ情報を読み出して（ステップＳ３１）、トラックナンバ／時間情報を抽出する。そして、トラックナンバ／時間情報確認部３２は、抽出されたトラックナンバ／時間情報が、メモリ４の複製管理情報の格納領域に既に格納されているトラックナンバ／時間情報のいずれかと一致するか否かをメモリアクセス制御部３４を介して判別する（ステップＳ３２）。
【００６９】
ステップＳ３２において、メモリ４の複製管理情報の格納領域に既に格納されているトラックナンバ／時間情報のいずれとも不一致であると判定された場合には、読み出し情報処理部３１および記録動作制御部３６を介してＣＤを高速再生待機状態とし、ＭＤを高速記録待機状態として（ステップＳ３３）、操作部８により、ストップ操作されたか否かを判別する（ステップＳ３４）。ストップ操作されていなければ、トラックナンバ／時間情報制御部３３により、そのトラックナンバ／時間情報を、メモリ４の格納領域に格納し（ステップＳ３５）、タイマ処理部３５Ａにより、タイマウエイト時間を、所定時間、この場合７４分、にセットして、メモアクセス制御部３４を介してメモリ４にトラックナンバ／時間情報に対応させて格納する（ステップＳ３６）。そして、タイマ処理部３５Ａは、記録動作制御部３６により高速記録動作を開始させ（ステップＳ３７）、さらにトラックナンバ／時間情報制御部３３を介してタイマ処理部３５Ａにより、１曲目の再生を確認し（ステップＳ３８）、１曲目の再生が開始されたら、メモリ４に格納されたタイマウエイト時間の減算カウントを開始させて（ステップＳ３９）、処理を終了して定常状態に戻る。
【００７０】
ステップＳ３２において、一致するトラックナンバ／時間情報が格納領域に既に格納されている場合には、何もせずに処理を終了して定常状態に戻る。ステップＳ３４において、ストップ操作がされたときは、やはり何もせずに処理を終了して定常状態に戻る。
【００７１】
ステップＳ３８において、１曲目の再生が開始される以前にストップ操作がされるか否かを確認し（ステップＳ４０）、ストップ操作がされれば、メモリ４のの格納情報、つまりトラックナンバ／時間情報およびタイマカウンタ、をクリアして（ステップＳ４１）、処理を終了して定常状態に戻る。また、ストップ操作が無いときは、ステップＳ３８に戻る。
【００７２】
図８は、この発明の第３の実施の形態に係る記録システムを採用したＣＤ／ＭＤシステムの要部の機能構成を示している。ここで、高速記録が禁止される場合、高速記録指示後、無条件にすなわち速やかに禁止状態とせずに、予め設定した数秒、例えば約４秒、を経過したとき禁止状態とし、この数秒間以内にストップ操作が行われた場合には、トラックナンバ／時間情報およびタイマカウンタをクリアしてしまう。これは、ＣＤのフォーマット上、「トラックの最小時間は４秒」と規格されているため「４秒以内の録音は正常に曲を録音したと見なさない」という観点で考えた場合である。図１に示す構成との相違は、ＣＰＵ３に代えて、所定の数秒、この場合４秒以内にストップ操作がされたら、トラックナンバ／時間情報およびタイマカウンタをクリアしてしまうようにしたＣＰＵ３Ｂを用いている点である。すなわち、図８に示すＣＰＵ３Ｂは、図２のＣＰＵ３におけるタイマ処理部３５に代えて、タイマ処理部３５Ｂを設けている。
【００７３】
ＣＰＵ３Ｂは、マイクロプロセッサ等を用いて構成され、操作部８の操作に応答して各種機能を達成する。ＣＰＵ３Ｂは、ＣＤからＭＤへの高速ダビングすなわち複製の高速記録が指示されたときは、読み出し部２を介してＣＤの記録情報のうちのＴＯＣ情報を読み出して、読み出した情報から複製管理情報として、最小／最大トラック数を示すトラックナンバ情報およびＣＤのディスクトータル時間（分、秒、フレーム）を示す時間情報をそれぞれ抽出し、複製の高速記録が指示された際に、メモリ４に未だ同一の著作権情報が記憶されていない場合にのみ、著作権の許容する範囲内として複製の高速記録を行う。複製の記録が行われる際に、上述したトラックナンバ情報および時間情報がメモリ４に格納される。この複製管理情報は、所定時間、例えば７４分、を経過するとクリアされる。
【００７４】
ＣＰＵ３Ｂは、メモリ４の複製管理情報の格納領域を参照して、既に記憶されている複製管理情報と一致しない場合にのみ、複製管理情報をメモリ４に格納し、高速記録動作を許可して、書込み部５に通常再生速度よりも高速な高速記録動作を指示する。なお、ＣＤから読み出した情報から抽出した複製管理情報が複製禁止とすべきことを示している場合、複製管理情報を解読することができない場合、および既に記憶されている複製管理情報と一致する場合には、ＣＰＵ３Ｂは、著作権を保護することができないため、高速記録動作を禁止する。
【００７５】
メモリ４は、ＣＰＵ３Ｂを構成する制御用のマイクロプロセッサに内蔵されたＲＡＭ等からなり、複製管理情報を格納する格納領域を有する。書込み部５は、高速記録動作時等の記録動作時には、ＣＰＵ３Ｂの制御により、読み出し部２で読み出されたオーディオ情報等の情報を、ＭＤ駆動部６にセットされたＭＤの記録面に対峙する光学ヘッド５ａを介して、そのＭＤに書き込む。ＭＤ駆動部６は、ＭＤをセットして駆動し、そのＭＤに光学ヘッド５ａを介して書込み部５による記録を行わせる。
【００７６】
表示部７は、ＣＰＵ３Ｂにより制御されて、警報部による警報表示、音声合成等を用いた音声表示部による音声表示、文字表示部による文字表示、および画像表示部による図形表示等のうちの少なくともいずれかによる表示を行う機能を有し、このＣＤ／ＭＤシステムにおける種々の動作状態等を表示する。操作部８は、ユーザにより操作され、その操作に基づいて、このＣＤ／ＭＤシステムの高速記録等の動作等を指示するための情報をＣＰＵ３Ｂに与える。
【００７７】
ＣＰＵ３Ｂのタイマ処理部３５Ｂは、高速記録動作における１曲目の再生開始以後の経過時間を計時し、その経過時間が上述した所定時間（例えば７４分）に達すると、該当する複製管理情報およびタイマカウンタをメモリ４からクリアする。また、タイマ処理部３５Ｂは、タイマカウント開始後所定の数秒、この場合４秒、以上再生しないうちにストップ操作が行われた場合にも、該当する複製管理情報およびタイマカウンタをメモリ４からクリアする。
【００７８】
次に、図８のＣＤ／ＭＤシステムの動作における複製管理情報を用いた高速ダビング禁止処理の流れについて図９に示すフローチャートを参照して説明する。
【００７９】
操作部８の操作により、ＣＤからＭＤへの高速ダビングのための高速記録動作が指示されると、図９に示すような高速ダビング禁止処理が開始される。高速ダビング禁止処理が開始されると、ＣＰＵ３Ｂは、トラックナンバ／時間情報確認部３２において、ＣＤから読み出し情報処理部３１にてＴＯＣ情報を読み出して（ステップＳ５１）、トラックナンバ／時間情報を抽出する。そして、トラックナンバ／時間情報確認部３２は、抽出されたトラックナンバ／時間情報が、メモリ４の複製管理情報の格納領域に既に格納されているトラックナンバ／時間情報のいずれかと一致するか否かをメモリアクセス制御部３４を介して判別する（ステップＳ５２）。
【００８０】
ステップＳ５２において、メモリ４の複製管理情報の格納領域に既に格納されているトラックナンバ／時間情報のいずれとも不一致であると判定された場合には、読み出し情報処理部３１および記録動作制御部３６を介してＣＤを高速再生待機状態とし、ＭＤを高速記録待機状態として（ステップＳ５３）、操作部８により、ストップ操作されたか否かを判別する（ステップＳ５４）。
【００８１】
ストップ操作されていなければ、トラックナンバ／時間情報制御部３３により、そのトラックナンバ／時間情報を、メモリ４の格納領域に格納し（ステップＳ５５）、タイマ処理部３５により、タイマウエイト時間を、所定時間、この場合７４分、にセットして、メモアクセス制御部３４を介してメモリ４にトラックナンバ／時間情報に対応させて格納する（ステップＳ５６）。そして、タイマ処理部３５Ｂは、記録動作制御部３６により高速記録動作を開始させ（ステップＳ５７）、さらにトラックナンバ／時間情報制御部３３を介してタイマ処理部３５Ｂにより、１曲目の再生を確認し（ステップＳ５８）、１曲目の再生が開始されたら、メモリ４に格納されたタイマウエイト時間の減算カウントを開始させる（ステップＳ５９）。さらに、４秒以上再生が継続されたか否かを確認し（ステップＳ６０）、４秒以上再生が継続されれば、処理を終了して定常状態に戻る。
【００８２】
ステップＳ５２において、一致するトラックナンバ／時間情報が格納領域に既に格納されている場合には、何もせずに処理を終了して定常状態に戻る。ステップＳ５４において、ストップ操作がされたときは、やはり何もせずに処理を終了して定常状態に戻る。ストップ操作が行われない場合には、ステップＳ５８に戻る。
【００８３】
ステップＳ５８において、１曲目の再生が開始される以前にストップ操作がされるか否かを確認し（ステップＳ６１）、ストップ操作がされれば、メモリ４のの格納情報、つまりトラックナンバ／時間情報およびタイマカウンタ、をクリアして（ステップＳ６２）、処理を終了して定常状態に戻る。
【００８４】
また、ステップＳ６０において、４秒以上再生される以前にストップ操作がされるか否かを確認し（ステップＳ６３）、ストップ操作がされれば、ステップＳ６２に移行し、メモリ４の格納情報、つまりトラックナンバ／時間情報およびタイマカウンタ、をクリアし、処理を終了して定常状態に戻る。ストップ操作が行われない場合には、ステップＳ６０に戻る。
【００８５】
なお、上述した数秒間の判断には、ＣＤの再生時間に相当するタイマの計測時間の他に、単にＣＤの再生時間（タイマの計測時間と異なる場合）等を用いても良い。
【００８６】
図１０は、この発明の第４の実施の形態に係る記録システムを採用したＣＤ／ＭＤシステムの要部の機能構成を示している。ここで、高速記録が禁止される場合、高速記録指示後、無条件にすなわち速やかに禁止状態とせずに、ＭＤの記録が開始されたとき禁止状態とし、それまでの間にストップ操作が行われた場合には、タイマカウントを開始せずにトラックナンバ／時間情報およびタイマカウンタをクリアしてしまう。図１に示す構成との相違は、ＣＰＵ３に代えて、ＭＤの記録が開始される以前にストップ操作がされたら、タイマカウントを開始せずにトラックナンバ／時間情報およびタイマカウンタをクリアしてしまうようにしたＣＰＵ３Ｃを用いている点である。すなわち、図１０に示すＣＰＵ３Ｃは、図２のＣＰＵ３におけるタイマ処理部３５に代えて、タイマ処理部３５Ｃを設けている。
【００８７】
ＣＰＵ３Ｃは、マイクロプロセッサ等を用いて構成され、操作部８の操作に応答して各種機能を達成する。ＣＰＵ３Ｃは、ＣＤからＭＤへの高速ダビングすなわち複製の高速記録が指示されたときは、読み出し部２を介してＣＤの記録情報のうちのＴＯＣ情報を読み出して、読み出した情報から複製管理情報として、最小／最大トラック数を示すトラックナンバ情報およびＣＤのディスクトータル時間（分、秒、フレーム）を示す時間情報をそれぞれ抽出し、複製の高速記録が指示された際に、メモリ４に既に又は未だに同一の著作権情報が記憶されていない場合にのみ、著作権の許容する範囲内として複製の高速記録を行う。複製の記録が行われる際に、上述したトラックナンバ情報および時間情報がメモリ４に格納される。この複製管理情報は、所定時間、例えば７４分、を経過するとクリアされる。
【００８８】
ＣＰＵ３Ｃは、メモリ４の複製管理情報の格納領域を参照して、既に記憶されている複製管理情報と一致しない場合にのみ、複製管理情報をメモリ４に格納し、高速記録動作を許可して、書込み部５に通常再生速度よりも高速な高速記録動作を指示する。なお、ＣＤから読み出した情報から抽出した複製管理情報が複製禁止とすべきことを示している場合、複製管理情報を解読することができない場合、および既に記憶されている複製管理情報と一致する場合には、ＣＰＵ３Ｃは、著作権を保護することができないため、高速記録動作を禁止する。
【００８９】
メモリ４は、ＣＰＵ３Ｃを構成する制御用のマイクロプロセッサに内蔵されたＲＡＭ等からなり、複製管理情報を格納する格納領域を有する。書込み部５は、高速記録動作時等の記録動作時には、ＣＰＵ３Ｃの制御により、読み出し部２で読み出されたオーディオ情報等の情報を、ＭＤ駆動部６にセットされたＭＤの記録面に対峙する光学ヘッド５ａを介して、そのＭＤに書き込む。ＭＤ駆動部６は、ＭＤをセットして駆動し、そのＭＤに光学ヘッド５ａを介して書込み部５による記録を行わせる。
【００９０】
表示部７は、ＣＰＵ３Ｃにより制御されて、警報部による警報表示、音声合成等を用いた音声表示部による音声表示、文字表示部による文字表示、および画像表示部による図形表示等のうちの少なくともいずれかによる表示を行う機能を有し、このＣＤ／ＭＤシステムにおける種々の動作状態等を表示する。操作部８は、ユーザにより操作され、その操作に基づいて、このＣＤ／ＭＤシステムの高速記録等の動作等を指示するための情報をＣＰＵ３Ｃに与える。
【００９１】
ＣＰＵ３Ｃのタイマ処理部３５Ｃは、高速記録動作におけるＭＤの記録開始以後の経過時間を計時し、その経過時間が上述した所定時間（例えば７４分）に達すると、該当する複製管理情報およびタイマカウンタをメモリ４からクリアする。また、タイマ処理部３５Ｃは、タイマ設定後、タイマカウント開始前にストップ操作が行われた場合にも、該当する複製管理情報およびタイマカウンタをメモリ４からクリアする。
【００９２】
次に、図１０のＣＤ／ＭＤシステムの動作における複製管理情報を用いた高速ダビング禁止処理の流れについて図１１に示すフローチャートを参照して説明する。
【００９３】
操作部８の操作により、ＣＤからＭＤへの高速ダビングのための高速記録動作が指示されると、図１１に示すような高速ダビング禁止処理が開始される。高速ダビング禁止処理が開始されると、ＣＰＵ３Ｃは、トラックナンバ／時間情報確認部３２において、ＣＤから読み出し情報処理部３１にてＴＯＣ情報を読み出して（ステップＳ７１）、トラックナンバ／時間情報を抽出する。そして、トラックナンバ／時間情報確認部３２は、抽出されたトラックナンバ／時間情報が、メモリ４の複製管理情報の格納領域に既に格納されているトラックナンバ／時間情報のいずれかと一致するか否かをメモリアクセス制御部３４を介して判別する（ステップＳ７２）。
【００９４】
ステップＳ７２において、メモリ４の複製管理情報の格納領域に既に格納されているトラックナンバ／時間情報のいずれとも不一致であると判定された場合には、読み出し情報処理部３１および記録動作制御部３６を介してＣＤを高速再生待機状態とし、ＭＤを高速記録待機状態として（ステップＳ７３）、操作部８により、ストップ操作されたか否かを判別する（ステップＳ７４）。ストップ操作されていなければ、トラックナンバ／時間情報制御部３３により、そのトラックナンバ／時間情報を、メモリ４の格納領域に格納し（ステップＳ７５）、タイマ処理部３５Ｃにより、タイマウエイト時間を、所定時間、この場合７４分、にセットして、メモアクセス制御部３４を介してメモリ４にトラックナンバ／時間情報に対応させて格納する（ステップＳ７６）。そして、タイマ処理部３５Ｃは、記録動作制御部３６により高速記録動作を開始させ（ステップＳ７７）、さらに記録動作制御部３６を介してタイマ処理部３５Ｃにより、ＭＤの記録開始を確認し（ステップＳ７８）、ＭＤの記録が開始されたら、メモリ４に格納されたタイマウエイト時間の減算カウントを開始させ（ステップＳ７９）、処理を終了して定常状態に戻る。
【００９５】
ステップＳ７２において、一致するトラックナンバ／時間情報が格納領域に既に格納されている場合には、何もせずに処理を終了して定常状態に戻る。ステップＳ７４において、ストップ操作がされたときは、やはり何もせずに処理を終了して定常状態に戻る。
【００９６】
ステップＳ７８において、ＭＤの記録が開始される以前にストップ操作がされるか否かを確認し（ステップＳ８０）、ストップ操作がされれば、メモリ４の格納情報、つまりトラックナンバ／時間情報およびタイマカウンタ、をクリアして（ステップＳ８１）、処理を終了して定常状態に戻る。ストップ操作がない場合には、ステップＳ７８に戻る。
【００９７】
また、高速記録指示後、再生曲のトラックチェンジがあった時、以後の同一ＣＤの複製禁止を有効とするようにしてもよい。すなわち、トラックナンバ（ＴＮＯ）の変更前にストップ操作されたらトラックナンバ／時間情報およびタイマカウンタをクリアする。これは、「１曲録音される前ならその曲を正常録音したと見なさない」という観点で考えている場合である。
さらに、禁止タイミングを制御するにあたり、無条件または数秒後に禁止を有効とする制御においては、次のような条件による禁止タイミングの制御が考えられる。
【００９８】
（１）無条件で禁止を有効とする場合に、高速記録開始指示が行われて時点で複製禁止とする。
（２）無条件でまたは数秒後に禁止を有効とする場合に、ＣＤの再生曲をサーチし、曲頭から再生を開始した時点で複製禁止とする。
（３）無条件でまたは数秒後に禁止を有効とする場合に、ＭＤが記録を開始した時点で複製禁止とする。
（４）無条件でまたは数秒後に禁止を有効とする場合に、ＭＤが記録待機状態となった時点で複製禁止とする。
【００９９】
また、ＣＤのＴＯＣ情報を読み取ったとき、そのＣＤのトータル時間を時間情報として記憶しているので、高速記録禁止時間を７４分とせずに、トータル時間分だけ禁止するようにタイマの時間を設定するようにしても良い。
【０１００】
なお、上述においては、ＣＤからＭＤへの複製の高速記録について説明したが、原記録媒体つまりソース媒体としては、ＭＤ等のような他のディスク媒体、ＤＡＴのような磁気テープ媒体、並びにＳＤカード等の各種スモールカードおよびメモリスティック（商標）等の固体不揮発性メモリ媒体等の種々の記録媒体を用いることができ、複製記録媒体としては、ＣＤ−Ｒ、ＣＤ−ＲＷ、ＤＶＤ−ＲＡＭ、ＤＶＤ−Ｒ、ＤＶＤ−Ｒ／Ｗ、ＤＶＤ＋ＲＷ等のような他のディスク媒体、ＤＡＴ等の磁気テープ媒体、および固体不揮発性メモリ媒体（フラッシュメモリ等）等の種々の記録媒体を用いることができる。
【０１０１】
また、上述においては、ＴＯＣ情報のトラック番号および時間情報を複製管理情報として用いるようにしたが、ＳＣＭＳ等に対応する音楽および映像等のディジタル情報が通常備えている記録状態情報を複製管理情報として用いてもよい。
【０１０２】
また、この発明の記録システムの少なくとも一部は、専用のシステムとして構成することなく、通常のコンピュータシステムを用いて実現することができる。例えば、コンピュータシステムに上述の動作を実行するためのプログラムを格納した媒体（フロッピーディスク、ＣＤ−ＲＯＭ等）から該プログラムをインストールすることにより、上述の処理を実行する記録システムを構築することができる。インストールによって、当該プログラムは、コンピュータシステム内のハードディスク等の媒体に格納されて、記録システムを構成し、実行に供される。
【０１０３】
また、インターネット等の通信ネットワーク上に設けたＦＴＰ（File Transfer Protocol）サーバに当該プログラムを登録し、ＦＴＰクライアントにネットワークを介して配信してもよく、通信ネットワークの電子掲示板（ＢＢＳ：Bulletin Board System）等に該プログラムを登録し、これをネットワークを介して配信してもよい。そして、このプログラムを起動し、ＯＳ（Operating System）の制御下において実行することにより、上述の処理を達成することができる。さらに、通信ネットワークを介してプログラムを転送しながら起動実行することによっても、上述の処理を達成することができる。
【０１０４】
【発明の効果】
以上説明したように、この発明によれば、事実上全ての対象情報に適用可能で、通常再生速度より高速の複製記録を適切に抑制することができ、著作権保護のための複製操作の履歴管理を適正に且つ確実に行うことを可能とする記録システム、記録装置、記録制御方法および記録媒体を提供することができる。
【図面の簡単な説明】
【図１】この発明の第１の実施の形態に係る記録システムを適用したＣＤ／ＭＤシステムの構成を模式的に示すブロック図である。
【図２】図１のＣＤ／ＭＤシステムの要部の構成を模式的に示すブロック図である。
【図３】図１のＣＤ／ＭＤシステムにおける高速ダビング禁止処理動作を説明するためのフローチャートである。
【図４】図１のＣＤ／ＭＤシステムにおけるタイマカウント処理動作を説明するためのフローチャートである。
【図５】図１のＣＤ／ＭＤシステムにおけるメモリに格納されるトラックナンバ／時間情報およびタイマカウンタの格納状況を模式的に説明するためのマッピング図である。
【図６】この発明の第２の実施の形態に係る記録システムを適用したＣＤ／ＭＤシステムの要部の構成を模式的に示すブロック図である。
【図７】図６のＣＤ／ＭＤシステムにおける高速ダビング禁止処理動作を説明するためのフローチャートである。
【図８】この発明の第３の実施の形態に係る記録システムを適用したＣＤ／ＭＤシステムの要部の構成を模式的に示すブロック図である。
【図９】図８のＣＤ／ＭＤシステムにおける高速ダビング禁止処理動作を説明するためのフローチャートである。
【図１０】この発明の第４の実施の形態に係る記録システムを適用したＣＤ／ＭＤシステムの要部の構成を模式的に示すブロック図である。
【図１１】図１０のＣＤ／ＭＤシステムにおける高速ダビング禁止処理動作を説明するためのフローチャートである。
【符号の説明】
１      ＣＤ（コンパクトディスク）駆動部
２      読み出し部
３      ＣＰＵ（中央処理部）
４      メモリ
５      書込み部
６      ＭＤ（ミニディスク）駆動部
７      表示部
８      操作部
２ａ    光学ヘッド
５ａ    光学ヘッド
３Ａ    ＣＰＵ
３Ｂ    ＣＰＵ
３Ｃ    ＣＰＵ
３１    読み出し情報処理部
３２    トラックナンバ／時間情報確認部
３３    トラックナンバ／時間情報制御部
３４    メモリアクセス制御部
３５    タイマ処理部
３６    記録動作制御部
３５Ａ    タイマ処理部
３５Ｂ    タイマ処理部
３５Ｃ    タイマ処理部
【図１】
0003820069.tif 000002
【図２】
0003820069.tif 000003
【図３】
0003820069.tif 000004
【図４】
0003820069.tif 000005
【図５】
0003820069.tif 000006
【図６】
0003820069.tif 000007
【図７】
0003820069.tif 000008
【図８】
0003820069.tif 000009
【図９】
0003820069.tif 000010
【図１０】
0003820069.tif 000011
【図１１】
0003820069.tif 000012